(57)【特許請求の範囲】
【請求項１】
測定箱と前記測定箱の中に設置された測定空間とを含み、前記測定空間の後壁には固定棒が固定的に設置され、前記固定棒の前端には作業箱が固定的に設置され、前記作業箱の中には作業空間が設置され、前記作業空間の左右壁の中には左右を貫通した貫通穴が設置され、前記作業空間の中には圧迫機構が設置され、前記測定空間の中には閉鎖機構が設置され、ばねを前記貫通穴を通じて前記作業空間の中に置き、前記閉鎖機構は前記貫通穴を閉鎖し、前記圧迫機構は前記ばねに一定の力を加えて前記ばねを圧縮し、前記ばねの圧縮距離で前記ばねの弾性係数を判断でき、前記測定空間の中には回転盤が回転可能に設置され、前記回転盤の中には上方に開口した置き溝が四つ形成され、前記置き溝の中には貯蔵箱が置かれ、前記貯蔵箱は前記作業箱の下側に位置し、前記貯蔵箱の中には上方に開口した貯蔵空間が設置され、前記測定空間の中には送出機構が設置され、前記ばねに対する測定を完了した後、前記閉鎖機構は前記貫通穴を閉鎖しなくなり、前記回転盤は回転して前記ばねの弾性係数に対応する前記貯蔵箱を回転させ、前記貯蔵箱を前記作業箱の左下側に位置させ、前記送出機構は前記作業箱の中にある前記ばねを押して送出し、前記ばねを前記貯蔵空間の中に落下させ、そして異なる弾性係数を有する前記ばねに選別を行い、前記測定空間の中にはばね送り機構が設置され、前記ばね送り機構は前記ばねを前記作業空間の中に送ることができ、
前記送出機構は前記測定空間の前壁に固定的に設置された電動レールを含み、前記電動レールの前側には伝動ブロックが装着され、前記伝動ブロックの後端には連結ブロックが固定的に設置され、前記連結ブロックは前記貫通穴を通過して前記作業空間の中に入ることができ、前記作業箱の中には前方に開口し且つ前記作業空間と連通する切目が設置され、前記切目は前記作業箱を左右貫通し、前記連結ブロックが前記作業空間の中に入るとき、前記伝動ブロックは前記切目の中を通過し、
前記ばね送り機構は前記測定空間の左壁の中に固定的に設置された支持板を含み、前記支持板の上端面にはばね送り管が固定的に設置され、前記ばね送り管の中にはばね送り空間が設置され、前記ばね送り空間の中には前記ばねが収容され、前記ばね送り空間の右壁の中には左右を貫通した送出穴が設置され、前記ばね送り空間の中には左右運動できる運動板が設置され、前記連結ブロックの左端面には第一電磁石が固定的に設置され、前記連結ブロックは前記作業空間を通過するときに、前記作業空間の中にある測定済みの前記ばねを前記貯蔵空間の中に送り、前記連結ブロックは引き続き左方へ運動することで前記第一電磁石と前記ばね送り管の右端面とを当接させ、前記運動板は前記ばねを右方へ押し動かし、前記第一電磁石が通電されることで前記ばねを前記第一電磁石に固定し、前記連結ブロックは右方へ運動し、前記第一電磁石が運動して前記作業空間の中に入るとき、前記第一電磁石は停電され、前記ばねを前記作業空間の中に残し、
前記作業空間の前壁の中には第二電磁石が固定的に設置され、
前記支持板の上端面には回転モータが固定的に設置され、前記回転モータの上側には回転軸が伝動可能に連結され、前記回転軸の上端にはカムが固定的に設置され、前記カムと前記運動板の左端面とは当接し、前記ばね送り管の左端面にはスタンド板が固定的に設置され、前記スタンド板の中には下方に開口したスライド溝が形成され、前記スライド溝の中にはスライダがスライド可能に設置され、前記スライダと前記運動板とは固定的に連結され、前記スライダと前記スライド溝の右壁との間には付勢ばねが連結され、
前記閉鎖機構は前記測定空間の後壁に左右対称に且つ回転可能に設置された旋転軸を含み、前記旋転軸には旋転棒が固定的に設置され、前記旋転棒の一端には閉鎖ブロックが固定的に設置され、前記旋転軸が回転するときに、前記閉鎖ブロックを前記貫通穴の中に運動させて前記貫通穴を閉鎖することができ、
前記測定空間の頂壁の中には第二電動推動棒が固定的に設置され、前記第二電動推動棒の下側にある第二推動棒の下端には伝動板が固定的に設置され、前記伝動板の下端面にはラックが左右対称に且つ固定的に設置され、前記旋転軸には前記旋転棒の後側に位置する歯車が固定的に設置され、前記歯車は前記ラックと噛み合っており、
前記圧迫機構は前記作業空間の頂壁に固定的に設置された第一電動推動棒を含み、前記第一電動推動棒の下側にある第一推動棒の下端には圧迫ブロックが固定的に設置され、
前記作業空間の後壁の中には定位センサが四つ設置され、前記圧迫ブロックが前記ばねを押し終えた後に、前記定位センサは前記圧迫ブロックの位置を検知でき、前記圧迫ブロックの降下距離を判断でき、前記測定空間の底壁には調整モータが固定的に設置され、前記調整モータの上側には動力軸が伝動可能に連結され、前記動力軸と前記回転盤の下端面とは固定的に連結され、前記調整モータと前記定位センサとは信号を伝達できることを特徴とするばねの弾性係数を素早く測定できる設備。
【発明の詳細な説明】
【技術分野】
【０００１】
本願発明はばね測定技術分野を取り上げ、特にばねの弾性係数を素早く測定できる設備に関わる。
【背景技術】
【０００２】
弾性係数は弾性率あるいは弾性定数と呼ばれ、変形のしにくさを表す物性値であり、弾性変形における応力とひずみの間の比例定数の総称である。ばねの弾性係数が大きければ大きいほど、当該ばねが変形時に加えられる応力は大きくなる。ばねの生産において、同一ロットで生産されたばねに対する弾性係数測定は基本的にサンプル測定法を用い、しかし、サンプル測定法は、全てのばねの弾性係数が統一であることを確保できなく、また、全てのばねに測定を行うには、既存する測定設備ではコストが高く、且つ効率が悪い。上記の問題を解決するため、本願発明を提供する。
【先行技術文献】
【特許文献】
【０００３】
【特許文献１】中国特許出願公開第１０３３８９１７９号明細書
【発明の概要】
【発明が解決しようとする課題】
【０００４】
上記の問題を解決できるばねの弾性係数を素早く測定できる設備を提供すること。
【課題を解決するための手段】
【０００５】
本願発明は以下の技術的解決策によって実現される。
【０００６】
本願発明のばねの弾性係数を素早く測定できる設備は、測定箱と前記測定箱の中に設置された測定空間とを含み、前記測定空間の後壁には固定棒が固定的に設置され、前記固定棒の前端には作業箱が固定的に設置され、前記作業箱の中には作業空間が設置され、前記作業空間の左右壁の中には左右を貫通した貫通穴が設置され、前記作業空間の中には圧迫機構が設置され、前記測定空間の中には閉鎖機構が設置され、ばねを前記貫通穴を通じて前記作業空間の中に置き、前記閉鎖機構は前記貫通穴を閉鎖し、前記圧迫機構は前記ばねに一定の力を加えて前記ばねを圧縮し、前記ばねの圧縮距離で前記ばねの弾性係数を判断でき、前記測定空間の中には回転盤が回転可能に設置され、前記回転盤の中には上方に開口した置き溝が四つ形成され、前記置き溝の中には貯蔵箱が置かれ、前記貯蔵箱は前記作業箱の下側に位置し、前記貯蔵箱の中には上方に開口した貯蔵空間が設置され、前記測定空間の中には送出機構が設置され、前記ばねに対する測定を完了した後、前記閉鎖機構は前記貫通穴を閉鎖しなくなり、前記回転盤は回転して前記ばねの弾性係数に対応する前記貯蔵箱を回転させ、前記貯蔵箱を前記作業箱の左下側に位置させ、前記送出機構は前記作業箱の中にある前記ばねを押して送出し、前記ばねを前記貯蔵空間の中に落下させ、そして異なる弾性係数を有する前記ばねに選別を行い、前記測定空間の中にはばね送り機構が設置され、前記ばね送り機構は前記ばねを前記作業空間の中に送ることができる。
【０００７】
さらに、前記送出機構は前記測定空間の前壁に固定的に設置された電動レールを含み、前記電動レールの前側には伝動ブロックが装着され、前記伝動ブロックの後端には連結ブロックが固定的に設置され、前記連結ブロックは前記貫通穴を通過して前記作業空間の中に入ることができ、前記作業箱の中には前方に開口し且つ前記作業空間と連通する切目が設置され、前記切目は前記作業箱を左右貫通し、前記連結ブロックが前記作業空間の中に入るとき、前記伝動ブロックは前記切目の中を通過する。
【０００８】
さらに、前記ばね送り機構は前記測定空間の左壁の中に固定的に設置された支持板を含み、前記支持板の上端面にはばね送り管が固定的に設置され、前記ばね送り管の中にはばね送り空間が設置され、前記ばね送り空間の中には前記ばねが収容され、前記ばね送り空間の右壁の中には左右を貫通した送出穴が設置され、前記ばね送り空間の中には左右運動できる運動板が設置され、前記連結ブロックの左端面には第一電磁石が固定的に設置され、前記連結ブロックは前記作業空間を通過するときに、前記作業空間の中にある測定済みの前記ばねを前記貯蔵空間の中に送り、前記連結ブロックは引き続き左方へ運動することで前記第一電磁石と前記ばね送り管の右端面とを当接させ、前記運動板は前記ばねを右方へ押し動かし、前記第一電磁石が通電されることで前記ばねを前記第一電磁石に固定し、前記連結ブロックは右方へ運動し、前記第一電磁石が運動して前記作業空間の中に入るとき、前記第一電磁石は停電され、前記ばねを前記作業空間の中に残す。
【０００９】
さらに、前記作業空間の前壁の中には第二電磁石が固定的に設置されている。
【００１０】
好ましくは、前記支持板の上端面には回転モータが固定的に設置され、前記回転モータの上側には回転軸が伝動可能に連結され、前記回転軸の上端にはカムが固定的に設置され、前記カムと前記運動板の左端面とは当接し、前記ばね送り管の左端面にはスタンド板が固定的に設置され、前記スタンド板の中には下方に開口したスライド溝が形成され、前記スライド溝の中にはスライダがスライド可能に設置され、前記スライダと前記運動板とは固定的に連結され、前記スライダと前記スライド溝の右壁との間には付勢ばねが連結されている。
【００１１】
さらに、前記閉鎖機構は前記測定空間の後壁に左右対称に且つ回転可能に設置された旋転軸を含み、前記旋転軸には旋転棒が固定的に設置され、前記旋転棒の一端には閉鎖ブロックが固定的に設置され、前記旋転軸が回転するときに、前記閉鎖ブロックを前記貫通穴の中に運動させて前記貫通穴を閉鎖することができる。
【００１２】
さらに、前記測定空間の頂壁の中には第二電動推動棒が固定的に設置され、前記第二電動推動棒の下側にある第二推動棒の下端には伝動板が固定的に設置され、前記伝動板の下端面にはラックが左右対称に且つ固定的に設置され、前記旋転軸には前記旋転棒の後側に位置する歯車が固定的に設置され、前記歯車は前記ラックと噛み合っている。
【００１３】
さらに、前記圧迫機構は前記作業空間の頂壁に固定的に設置された第一電動推動棒を含み、前記第一電動推動棒の下側にある第一推動棒の下端には圧迫ブロックが固定的に設置されている。
【００１４】
さらに、前記作業空間の後壁の中には定位センサが四つ設置され、前記圧迫ブロックが前記ばねを押し終えた後に、前記定位センサは前記圧迫ブロックの位置を検知でき、前記圧迫ブロックの降下距離を判断でき、前記測定空間の底壁には調整モータが固定的に設置され、前記調整モータの上側には動力軸が伝動可能に連結され、前記動力軸と前記回転盤の下端面とは固定的に連結され、前記調整モータと前記定位センサとは信号を伝達できる。
【発明の効果】
【００１５】
本願発明は以下のプラス効果を有する：本願発明は恒常の力でばねを圧縮し、ばねの移動に基づき、ばねの弾性係数を判断し、また、本願発明は大量にばねに測定を行うことができ、測定作業は自動化レベルが高く、効率を上げ、同時に、本願発明はばねを測定し終えた後、ばねの弾性係数によってばねを分類し選別でき、製品の統一性を保証し、信頼度を向上させる。
【図面の簡単な説明】
【００１６】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の全体構成略図
【図２】図２は本願発明の作業時の構成略図
【図３】図３は図１におけるＡ―Ａの構成略図
【図４】図４は図２におけるＢ―Ｂの構成略図
【発明を実施するための形態】
【００１８】
図１〜４に記載のばねの弾性係数を素早く測定できる設備を合わせ、本実施例の弾性係数を素早く測定できる設備は、主に測定箱１０と前記測定箱１０の中に設置された測定空間１１とを含み、前記測定空間１１の後壁には固定棒４８が固定的に設置され、前記固定棒４８の前端には作業箱２１が固定的に設置され、前記作業箱２１の中には作業空間２２が設置され、前記作業空間２２の左右壁の中には左右を貫通した貫通穴２４が設置され、前記作業空間２２の中には圧迫機構９３が設置され、前記測定空間１１の中には閉鎖機構９０が設置され、ばね１７を前記貫通穴２４を通じて前記作業空間２２の中に置き、前記閉鎖機構９０は前記貫通穴２４を閉鎖し、前記圧迫機構９３は前記ばね１７に一定の力を加えて前記ばね１７を圧縮し、前記ばね１７の圧縮距離で前記ばね１７の弾性係数を判断でき、前記測定空間１１の中には回転盤４１が回転可能に設置され、前記回転盤４１の中には上方に開口した置き溝３８が四つ形成され、前記置き溝３８の中には貯蔵箱３６が置かれ、前記貯蔵箱３６は前記作業箱２１の下側に位置し、前記貯蔵箱３６の中には上方に開口した貯蔵空間３７が設置され、前記測定空間１１の中には送出機構９１が設置され、前記ばね１７に対する測定を完了した後、前記閉鎖機構９０は前記貫通穴２４を閉鎖しなくなり、前記回転盤４１は回転して前記ばね１７の弾性係数に対応する前記貯蔵箱３６を回転させ、前記貯蔵箱３６を前記作業箱２１の左下側に位置させ、前記送出機構９１は前記作業箱２２の中にある前記ばね１７を押して送出し、前記ばね１７を前記貯蔵空間３７の中に落下させ、そして異なる弾性係数を有する前記ばね１７に選別を行い、前記測定空間１１の中にはばね送り機構９２が設置され、前記ばね送り機構９２は前記ばね１７を前記作業空間２２の中に送ることができる。
【００１９】
好ましくは、前記送出機構９１は前記測定空間１１の前壁に固定的に設置された電動レール４９を含み、前記電動レール４９の前側には伝動ブロック１９が装着され、前記伝動ブロック１９の後端には連結ブロック１８が固定的に設置され、前記連結ブロック１８は前記貫通穴２４を通過して前記作業空間２２の中に入ることができ、前記作業箱２１の中には前方に開口し且つ前記作業空間２２と連通する切目５１が設置され、前記切目５１は前記作業箱２１を左右貫通し、前記連結ブロック１８が前記作業空間２２の中に入るとき、前記伝動ブロック１９は前記切目５１の中を通過する。
【００２０】
好ましくは、前記ばね送り機構９２は前記測定空間１１の左壁の中に固定的に設置された支持板４３を含み、前記支持板４３の上端面にはばね送り管１５が固定的に設置され、前記ばね送り管１５の中にはばね送り空間１６が設置され、前記ばね送り空間１６の中には前記ばね１７が収容され、前記ばね送り空間１６の右壁の中には左右を貫通した送出穴４２が設置され、前記ばね送り空間１６の中には左右運動できる運動板４７が設置され、前記連結ブロック１８の左端面には第一電磁石２０が固定的に設置され、前記連結ブロック１８は前記作業空間２２を通過するときに、前記作業空間２２の中にある測定済みの前記ばね１７を前記貯蔵空間３７の中に送り、前記連結ブロック１８は引き続き左方へ運動することで前記第一電磁石２０と前記ばね送り管１５の右端面とを当接させ、前記運動板４７は前記ばね１７を右方へ押し動かし、前記第一電磁石２０が通電されることで前記ばね１７を前記第一電磁石２０に固定し、前記連結ブロック１８は右方へ運動し、前記第一電磁石２０が運動して前記作業空間２２の中に入るとき、前記第一電磁石２０は停電され、前記ばね１７を前記作業空間２２の中に残す。
【００２１】
好ましくは、前記作業空間２２の前壁の中には第二電磁石５０が固定的に設置されている。
【００２２】
好ましくは、前記支持板４３の上端面には回転モータ４４が固定的に設置され、前記回転モータ４４の上側には回転軸４５が伝動可能に連結され、前記回転軸４５の上端にはカム４６が固定的に設置され、前記カム４６と前記運動板４７の左端面とは当接し、前記ばね送り管１５の左端面にはスタンド板５２が固定的に設置され、前記スタンド板５２の中には下方に開口したスライド溝１３が形成され、前記スライド溝１３の中にはスライダ１２がスライド可能に設置され、前記スライダ１２と前記運動板４７とは固定的に連結され、前記スライダ１２と前記スライド溝１３の右壁との間には付勢ばね１４が連結されている。
【００２３】
好ましくは、前記閉鎖機構９０は前記測定空間１１の後壁に左右対称に且つ回転可能に設置された旋転軸３５を含み、前記旋転軸３５には旋転棒２７が固定的に設置され、前記旋転棒２７の一端には閉鎖ブロック２６が固定的に設置され、前記旋転軸３５が回転するときに、前記閉鎖ブロック２６を前記貫通穴２４の中に運動させて前記貫通穴２４を閉鎖することができる。
【００２４】
好ましくは、前記測定空間１１の頂壁の中には第二電動推動棒３１が固定的に設置され、前記第二電動推動棒３１の下側にある第二推動棒３０の下端には伝動板２９が固定的に設置され、前記伝動板２９の下端面にはラック２３が左右対称に且つ固定的に設置され、前記旋転軸３５には前記旋転棒２７の後側に位置する歯車２８が固定的に設置され、前記歯車２８は前記ラック２３と噛み合っている。
【００２５】
好ましくは、前記圧迫機構９３は前記作業空間２２の頂壁に固定的に設置された第一電動推動棒３２を含み、前記第一電動推動棒３２の下側にある第一推動棒３３の下端には圧迫ブロック３４が固定的に設置されている。
【００２６】
好ましくは、前記作業空間２２の後壁の中には定位センサ２５が四つ設置され、前記圧迫ブロック３４が前記ばね１７を押し終えた後に、前記定位センサ２５は前記圧迫ブロック３４の位置を検知でき、前記圧迫ブロック３４の降下距離を判断でき、前記測定空間１１の底壁には調整モータ４０が固定的に設置され、前記調整モータ４０の上側には動力軸３９が伝動可能に連結され、前記動力軸３９と前記回転盤４１の下端面とは固定的に連結され、前記調整モータ４０と前記定位センサ２５とは信号を伝達できる。
【００２７】
装置全体の作動手順は以下の通りである。
【００２８】
１、回転モータ４４が作動して回転軸４５を通じてカム４６を連動させて回転させ、カム４６は運動板４７を押して右方へ運動させ、運動板４７はばね送り空間１６の中にある一つのばね１７を右方へ押し、ばね１７と第一電磁石２０とを当接させる。
【００２９】
２、第一電磁石２０を通電させてばね１７を吸引する。
【００３０】
３、電動レール４９が作動して伝動ブロック１９を通じて連結ブロック１８を連動させて右方へ運動させ、連結ブロック１８は第一電磁石２０を連動させて右方へ運動させる。
【００３１】
４、第一電磁石２０が作業空間２２の中に運動するとき、第一電磁石２０は停電され、第二電磁石５０は通電されてばね１７を吸引し、第一電磁石２０は引き続き右方へ運動し、ばね１７は作業空間２２の中に残される。
【００３２】
５、第二電動推動棒３１が作動して第二推動棒３０を通じて伝動板２９を連動させて上昇させ、伝動板２９はラック２３を連動させて上昇させ、歯車２８は回転して旋転軸３５を回転させ、旋転棒２７を通じて閉鎖ブロック２６を連動させて回転させ、閉鎖ブロック２６が貫通穴２４を閉鎖した後、第二電動推動棒３１は止められ、第二電磁石５０は停電される。
【００３３】
６、第一電動推動棒３２が作動して恒常の力で下方へばね１７を押し、ばね１７の弾性係数が大きければ大きいほど、圧迫ブロック３４の下方への移動距離は小さくなる。
【００３４】
７、圧迫ブロック３４が移動し終えたあと、圧迫ブロック３４は一つの定位センサ２５と接触し、調整モータ４０を作動させ、動力軸３９を通じて回転盤４１を連動させて回転させ、対応する貯蔵箱３６を作業箱２１の左側に回転させる。
【００３５】
８、第一電動推動棒３２が作動して圧迫ブロック３４を初期位置に戻し、第二電動推動棒３１が作動して閉鎖ブロック２６を初期位置に戻す。
【００３６】
９、電動レール４９が作動して第一電磁石２０を左方へ運動させ、第一電磁石２０が作業空間２２の中に運動するとき、ばね１７は押されて貯蔵空間３７の中に落下し、第一電磁石２０は引き続き左方へ運動して初期位置に戻り、次のばね１７に対する測定を行い始める。
【００３７】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願はばねの弾性係数を素早く測定できる設備を開示した。
【解決手段】
本願はばねの弾性係数を素早く測定できる設備を開示し、測定箱と前記測定箱の中に設置された測定空間とを含み、前記測定空間の後壁には固定棒が固定的に設置され、前記固定棒の前端には作業箱が固定的に設置され、前記作業箱の中には作業空間が設置され、本願発明は恒常の力でばねを圧縮し、ばねの移動に基づき、ばねの弾性係数を判断し、また、本願発明は大量にばねに測定を行うことができ、測定作業は自動化レベルが高く、効率を上げられ、同時に、本願発明はばねを測定し終えた後、ばねの弾性係数によってばねを分類し選別でき、製品の統一性を保証し、信頼度を向上させる。
【選択図】図１【図１】
0006826254.tif 000002
【図２】
0006826254.tif 000003
【図３】
0006826254.tif 000004
【図４】
0006826254.tif 000005